(57)【要約】【課題】パチンコ遊技機の下球受皿の球排出口から遊技球を広い範囲に分散して落下させる。【解決手段】下球受皿３３に遊技球が貯留された状態で、下球受皿の下方に球受け箱を設けた後、球抜きレバー３４ｂを左方向に移動させることにより、開閉板３４ａが左端位置に移動し、開口部３３ｃが開放され、回転板３６が開口部に露出し、回転板に設けた球排出穴３６ａから遊技球が球排出筒３６ｃを通して球受け箱内に排出される。同時に、制御装置の制御により、電動モータ３８が回転を開始し、これに連動して回転板が回転し、球排出筒の位置が円形を描いた状態で変動するため、放出される遊技球が、球受け箱内の広い範囲に放出される。そのため、球受け箱内に排出された遊技球を均す必要がなくなり、また遊技者は下球受皿に注意を払う必要がなく遊技に集中することができる。また、遊技球を均す際に受ける静電気による不快感を味わうこともない。【選択図】図２
2006297150.tif 000002
【特許請求の範囲】
【請求項１】
本体前面下側に設けられて遊技球を貯留する上面開放容器であって、底面に球排出穴と、同球排出穴を開閉する遮蔽部材とを備えてなり、前記球排出穴を開放することにより、貯留された遊技球を下方に排出するパチンコ遊技機用球受皿において、
前記底面に設ける球排出穴の位置を可変とする球排出位置可変機構と、
前記球排出位置可変機構の作動を、前記遮蔽部材の開放動作に応じて開始させると共に同遮蔽部材の閉鎖動作に応じて停止させる可変機構制御装置とを設けたことを特徴とするパチンコ遊技機用球受皿。
【発明の詳細な説明】
【技術分野】
【０００１】
本発明は、パチンコ遊技機用球受皿に係り、特に球受皿に収容された遊技球を排出する球抜き機構の改良に関する。
【背景技術】
【０００２】
従来、パチンコ遊技機用下球受皿においては、球抜き時には、球受皿の前面下端に設けた操作レバーを手動操作して横方向へ移動させることにより、底面に設けた球排出穴を覆っている遮蔽板を移動させて球排出穴を開放し、貯留された遊技球を下方に設けた球受け箱内に落下させていた。
【発明の開示】
【発明が解決しようとする課題】
【０００３】
しかし、従来の下球受皿は、球排出穴が１箇所でしかも固定されているため、球排出穴から落下した遊技球は、落下した位置で山状に積み上げられることになる。この山積み状態を放置すると、この部分から遊技球が球受け箱外にあふれ出てしまうため、遊技者が球ならしを行わなければならず、非常に煩雑であった。また、かかる球ならしを行う際に、遊技球に手を触れることにより、静電気を受けることがあり、遊技者に不快感を与えるという問題もある。
【０００４】
本発明は、上記した問題を解決しようとするもので、球受皿の球排出穴から遊技球を広い範囲に分散して落下させることができるパチンコ遊技機用球受皿を提供することを目的とする。
【課題を解決するための手段】
【０００５】
上記目的を達成するために上記請求項１に係る発明の構成上の特徴は、本体前面下側に設けられて遊技球を貯留する上面開放容器であって、底面に球排出穴と、球排出穴を開閉する遮蔽部材とを備えてなり、球排出穴を開放することにより、貯留された遊技球を下方に排出するパチンコ遊技機用球受皿において、底面に設ける球排出穴の位置を可変とする球排出位置可変機構を設け、この球排出位置可変機構の作動を、遮蔽部材の開放動作に応じて開始させると共に遮蔽部材の閉鎖動作に応じて停止させる可変機構制御装置を設けたことにある。
【０００６】
上記のように請求項１に係る発明を構成したことにより、底面に設ける球排出穴の位置が可変とされるため、球受皿から放出される遊技球が、球受皿の下方に配設した球受け箱内の広い範囲に分散して放出され、１箇所に積み上げられることがなく、箱内に均等に収容される。その結果、球受け箱内に排出された遊技球を均す必要がなく非常に便利である。これにより、球受皿からの球抜きの際に、遊技者は球受皿を気にする必要がないので、遊技に集中することができる。また、遊技球を均す際に受ける静電気による不快感を味わうことがない。更に、遮蔽部材の開放時にのみ、球排出位置可変機構を作動させればよいので、球排出位置可変機構の運転コストを低減することができる。
【発明を実施するための最良の形態】
【０００７】
以下、本発明の一実施の形態を図面を用いて説明すると、図１は、第１の実施形態を適用したパチンコ遊技機の本体１０を正面図により示したものである。本体１０は、正面の上側の枠部１０ａに遊技盤１１を支持しており、枠部１０ａの左内側に開閉自在に支持したガラス扉１２により遊技盤１１の前側を閉鎖している。ガラス扉１２の下側には、上皿基板２０が設けられている。
【０００８】
上皿基板２０は、図１に示すように、その前面に上球受皿２１を設けており、上球受皿２１は、基板２０ａの左端に賞品球供給口２１ｄが開口しており、本体１０の裏面に設けた賞品球タンクから供給された賞品球が賞品球供給口２１ｄを通して供給されるようになっている。上球受皿２１の右端側の平坦部には、上皿球抜きボタン２２が設けられている。上皿基板２０の下側には、下皿基板３０が取り付けられている。下皿基板３０は、中央に下球受皿３３を設けており、右端位置に発射ハンドル３１を、左端位置に灰皿３２を設けている。
【０００９】
下球受皿３３は、図２に示すように、底面部３３ａを設けると共に、基盤３０ａ前面を除く底面部３３ａの周囲に囲い３３ｂを設けている。下球受皿３３の背面側の基盤３０ａには、遊技球流入口３０ｂが設けられており、遊技球流入口３０ｂから後方に向けて突出した遊技球流入筒３０ｃが取り付けられている。下球受皿３３の底面部３３ａの略中央には底面部３３ａを貫通して円形の開口部３３ｃが設けられている。底面部３３ａには、下球受皿３３の前面から後方に向けて水平に形成された隙間３３ｄが設けられており、隙間３３ｄ内には開口部３３ｃを開閉する開閉部材３４が横方向に移動可能なように設けられている。隙間３３ｄは、後述する球抜きレバー３４ｂの左右の移動範囲を規定するため下球受皿３３前面において横方向の長さが短く、また、後述する開閉板３４ａを移動可能にするために内部が広く形成されている。
【００１０】
開閉部材３４は、開口部３３ｃを被覆する長方形の開閉板３４ａと、開閉板３４ａの前側端に取り付けられて隙間３３ｄの前端から突出した球抜きレバー３４ｂとを設けている。開閉板３４ａは、下球受皿３３の左側の灰皿３２内に一端が固定されたコイルバネ３４ｃの他端が左側縁に固定されており、通常は、伸長したコイルバネ３４ｃにより、図２に示す右端位置に保持されている。開閉部材３４は、手動によって球抜きレバー３４ｂを左方向に移動させることにより、コイルバネ３４ｃを収縮させて、図３に示す左端位置に移動し、これにより、開閉部材３４は、開口部３３ｃを開放するようになっている。球抜きレバー３４ｂから手を離すことにより、開閉板３４ａは、コイルバネ３４ｃの伸長力により右方向に付勢されて、開口部３３ｃを閉鎖する右端位置に戻されるようになっている。そして、隙間３３ｄの左端位置には、開閉板３４ａの移動を検出する開閉板検出スイッチ３５が設けられている。開閉板検出スイッチ３５は、例えば磁気センサのような近接スイッチであり、その検出信号を制御装置（図示しない）に出力し、後述する電動モータ３８の駆動制御に利用される。
【００１１】
隙間３３ｄの下方の開口部３３ｃ位置には、円形の空間３３ｅが設けられており、空間３３ｅ内に開口部３３ｃよりわずかに径の大きい回転板３６が回転可能に配設されている。回転板３６は、図４に示すように、板面に１個の球排出穴３６ａを設けており、外周には歯３６ｂが形成された歯車形状になっている。ただし、球排出穴３６ａは、２個以上でもよい。回転板３６の裏面側の球排出穴３６ａ位置には、球排出筒３６ｃが斜め外方向に向けて取り付けられている。回転板３６には、小径の歯車３７が噛み合わされている。歯車３７は、基盤３０ａを貫通して設けられ、基盤３０ａに回転可能に取り付けられている。歯車３７は、さらに基盤３０ａの背面側に設けた電動モータ３８の回転軸に取り付けられた小径の歯車３８ａに噛み合わされている。電動モータ３８は、図示しない制御装置の出力側に接続されている。制御装置は、開閉板検出スイッチ３５からの検出信号を受けて、電動モータ３８の回転を開始させるように制御する。
【００１２】
つぎに、上記のように構成した第１の実施形態の動作について説明する。下球受皿３３に遊技球が貯留された状態で、下球受皿３３の下方に図示しない球受け箱を設けた後、球抜きレバー３４ｂを左方向に移動させることにより、開閉板３４ａが図３に示す左端位置に移動する。これにより、開口部３３ｃが開放され、回転板３６が開口部３３ｃに露出し、回転板３６に設けた球排出穴３６ａから遊技球が球排出筒３６ｃを通して球受け箱内に排出される。同時に、開閉板３４ａの左端位置への移動が、開閉板検出スイッチ３５により検出され、この検出結果に応じて、制御装置の制御により、電動モータ３８が回転を開始し、これに連動して回転板３６が回転する。
【００１３】
回転板３６の回転により、底面に設けた外側に向けて傾斜した球排出筒３６ｃの位置が円形を描いた状態で変動するため、球排出筒３６ｃから連続的に放出される遊技球が、球受け箱内の広い範囲に放出され、遊技球が１箇所に積み上げられることがない。そのため、遊技者は、球受け箱内に排出された遊技球を均す必要がなく非常に便利である。また、下球受皿３３からの球抜きの際に、遊技者は下球受皿３３に注意を払う必要がないので、遊技に集中することができる。さらに、遊技球を均す際に受ける静電気による不快感を味わうこともなく、快適な遊技を行うことができる。
【００１４】
つぎに、第２の実施形態について図面により説明する。本実施形態においては、球排出口を変動させる手段として、上記第１の実施形態に示した円形の回転板を用いる代わりに、図７に示すような移動板を用いて球排出位置を変動させるようにしたものである。下球受皿３３については、上記第１の実施形態に示したものと同様である。ただし、下球受皿３３の底面部３３ａに貫通して設ける開口部については、図５に示すように、中心角が直角より小さい扇形の開口部４１が用いられる。底面部３３ａには、上記第１の実施形態に示したと同様の隙間３３ｄが設けられており、隙間３３ｄ内には開口部４１を開閉する上記開閉部材３４と同様の開閉部材４２が横方向に移動可能なように設けられている。
【００１５】
開閉部材４２は、開口部４１を被覆する長方形の開閉板４２ａと、開閉板４２ａの前側端に取り付けられて隙間３３ｄの前端から突出した球抜きレバー４２ｂとを設けている。開閉板４２ａは、下球受皿３３の左側の灰皿３２内に一端が固定されたコイルバネ４２ｃの他端が左側縁に固定されており、通常は、伸長したコイルバネ４２ｃにより、図５に示す右端位置に保持されている。開閉部材４２は、手動によって球抜きレバー４２ｂを左方向に移動させることにより、コイルバネ４２ｃを収縮させて、図６に示す左端位置に移動し、これにより、開閉部材４２は、開口部４１を開放するようになっている。球抜きレバー４２ｂから手を離すことにより、開閉板４２ａは、コイルバネ４２ｃの伸長力により右方向に付勢されて、開口部４１を閉鎖する右端位置に戻されるようになっている。そして、灰皿３２内には、開閉板４２ａの移動を検出する開閉板検出スイッチ４３が設けられている。開閉板検出スイッチ４３の検出信号は、制御装置（図示しない）に入力され、後述する電動モータ５４の駆動制御に利用される。
【００１６】
隙間下方の開口部４１位置には、開口部４１を中心とし基盤３０ａの背面まで延びた扇形の空間３３ｆが設けられており、空間３３ｆには扇形の移動板５１が配設されている。移動板５１は、図７に示すように、中心角が開口部４１の略２倍であり、中央板面に１個の球排出穴５１ａを設けている。また、移動板５１の内周部分には、径方向に延びた長尺板形状の駆動板５２が一体で取り付けられており、駆動板５２は、中間位置の取付孔５２ｃにて止め具５３により基盤３０ａに回動可能に取り付けられており、一部が基盤３０ａから後方に向けて突出している。駆動板５２の突出部分５２ａには、スリット状の長孔５２ｂが設けられている。
【００１７】
基盤３０ａの後方には、電動モータ５４が回転軸を上に向けて設けられ、電動モータ５４の回転軸には、円板５５が軸に対して直角に取り付けられている。円板５５の外周位置には係合突起５５ａが１個設けられており、係合突起５５ａは、駆動板５２の長孔５２ｂに係合している。そして、電動モータ５４の回転により、円板５５の回転が係合突起５５ａを介して駆動板５２に伝達され、駆動板５２は止め具５３を中心として所定の角度を往復回動する。
【００１８】
つぎに、上記のように構成した第２の実施形態の動作について説明する。下球受皿３３に遊技球が貯留された状態で、下球受皿３３の下方に球受け箱を設けた後、球抜きレバー４２ｂを左方向に移動させることにより、開閉板４２ａが図６に示す左端位置に移動する。これにより、開口部４１が開放され、移動板５１が開口部４１に露出し、移動板５１に設けた球排出穴５１ａから遊技球が球受け箱内に排出される。同時に、開閉板４２ａの左端位置への移動が、開閉板検出スイッチ４３により検出され、この検出結果に応じて、制御装置の制御により、電動モータ５４が回転を開始し、円板５５の回転に連動して移動板５１が開口部４１の中央を中心として左右方向に円弧形の往復回動を行う。
【００１９】
移動板５１の往復回動により、球排出穴５１ａの位置が円弧形を描いた状態で往復回動するため、球排出穴５１ａから連続的に放出される遊技球が、球受け箱内の広い範囲に連続的に放出され、１箇所に積み上げられることがない。そのため、第２の実施形態においても、上記第１の実施形態に示した効果と同様の効果を得ることができる。
【００２０】
つぎに、第３の実施形態について図面により説明する。本実施形態においては、球排出口を変動させる手段として、図８に示すような長方形の移動板を用いて球排出位置を変動させるようにしたものである。下球受皿３３については、上記第１の実施形態に示したものと同様である。ただし、下球受皿３３の底面部３３ａに設ける開口部については、図８に示すように、長方形の開口部４５が用いられる。底面部３３ａには、上記第１の実施形態に示したと同様の隙間３３ｄが設けられており、隙間３３ｄ内には開口部４５を開閉する上記開閉部材４２が横方向に移動可能なように設けられている。
【００２１】
隙間３３ｄの下方の開口部４５位置には、開口部４５を中心として左右に延びた長方形の空間３３ｇが設けられており、空間３３ｇには長方形の移動板６１が横方向へ移動可能に配設されている。移動板６１は、開口部４５よりわずかに広く、中央位置に１個の球排出穴６１ａを設けている。また、移動板６１の後端中央には後方に延びた長尺形状の駆動片６２が一体で取り付けられている。駆動片６２の先端には、伝達片６３が回動可能に取り付けられている。
【００２２】
また、基盤３０ａの後方には、電動モータ６４が回転軸を前方に向けて設けられ、電動モータ６４の回転軸には、回転板６５が軸に対して直角に取り付けられている。回転板６５の外周位置には係合突起６５ａが設けられており、係合突起６５ａには、伝達片６３が回転可能に取り付けられている。そして、電動モータ６４の回転により、回転板６５の回転が伝達片６３を介して駆動片６２の横方向の往復運動に変換され、駆動片６２と共に移動板６１も横方向の往復運動を行う。
【００２３】
以上のように構成した第３の実施形態においても、上記第２の実施形態と同様に、開口部４５が開放された状態で、移動板６１が横方向の往復運動を行うことにより、移動板６１に設けた球排出穴６１ａの位置が直線を描いた状態で往復運動するため、球排出穴６１ａから放出される遊技球が、球受け箱内の広い範囲に連続的に排出され、１箇所に積み上げられることがない。その結果、第３の実施形態においても、上記第１の実施形態に示した効果と同様の効果を得ることができる。
【００２４】
つぎに、第４の実施形態について図面により説明する。本実施形態においては、球排出口を変動させる手段として、移動板に穴を設けて、移動板の運動に応じて移動する穴から遊技球を連続的に分散して排出する代わりに、下球受皿３３の底面部３３ａに複数の小開口部を設け、底面部上に球排出穴を有する移動板を設け、移動板の移動に応じて、球排出穴が重複した小開口部から遊技球を断続的に排出することにより、遊技球を分散して排出させるようにしたものである。
【００２５】
移動板として円形板を用いた場合について説明する。下球受皿３３については、上記第１の実施形態において、図２に示したものと同様である。下球受皿３３の底面部３３ａに、図１０（ａ）に破線で示すように、３個の小開口部７１を等間隔で設けた。この小開口部７１を設けた底面部３３ａの上部に、円形の回転板３９を回転可能に配設した。回転板３９を回転させることにより、回転板３９に設けた球排出穴３９ａが３個の小開口部７１と重なる位置で、順次上球受皿に貯留された遊技球が排出される。そのため、遊技球が実質的に異なった３箇所に振り分けられて断続的に排出されるため、球受け箱内の広い範囲に放出され、遊技球が１箇所に積み上げられることがない。その結果、第４の実施形態においても、上記第１から第３の実施形態に示した効果と同様の効果を得ることができる。
【００２６】
また、第４の実施形態の変形例１として、図１０（ｂ）に示すように、下球受皿３３の底面部３３ａに、４個の小開口部７２を等間隔で設けた。この小開口部７２を設けた底面部３３ａの上部に、対角位置に２個の球排出穴３９ｂを設けた回転板３９を回転可能に配設した。この回転板３９を回転させることにより、回転板３９に設けた２個の球排出穴３９ｂが４個の小開口部７２と重なる位置で、順次上球受皿に貯留された遊技球が排出される。そのため、遊技球が異なった４箇所に振り分けられて断続的に排出されるため、球受け箱内の広い範囲に放出され、遊技球が１箇所に積み上げられることがない。その結果、変形例１においても第４の実施形態に示した効果と同様の効果を得ることができる。なお、変形例１において、球排出穴３９ｂと小開口部７２の数については、上記以外の組合せも可能である。
【００２７】
つぎに、第４の実施形態の変形例２として、図１１（ａ）に示すように、第３の実施形態に示した下球受皿３３を用い、その底面部３３ａに、２個の小開口部７３を横一列に所定間隔離して設けた。この小開口部７３を設けた底面部３３ａの上部に、１個の球排出穴６１ａを設けた移動板６１を横方向に往復移動可能に配設した。この、移動板６１を往復移動させることにより、移動板６１に設けた１個の球排出穴６１ａが２個の小開口部７３と重なる位置で、順次上球受皿に貯留された遊技球が排出される。そのため、遊技球が異なった２箇所に振り分けられて断続的に排出されるため、球受け箱内の広い範囲に放出され、遊技球が１箇所に積み上げられることがない。その結果、変形例２においても第４の実施形態に示した効果と同様の効果を得ることができる。
【００２８】
また、変形例３として、図１１（ｂ）に示すように、下球受皿３３の底面部３３ａに、３個の小開口部７４を横一列に等間隔離して設けた。この小開口部７４を設けた底面部３３ａの上部に、２個の球排出穴６１ｂを設けた移動板６１を横方向への往復移動可能に配設した。このように構成した変形例３においても、変形例２と同様の効果が得られる。なお、変形例３において、球排出穴６１ｂと小開口部７４の数については、上記以外の組合せも可能である。
【００２９】
次に、変形例４として、上記移動板３９、６１の移動停止時に、移動板３９、６１の停止位置を、移動板３９、６１の球排出穴と底面部３３ａに設けた小開口部とが重ならないような位置にするようにした。例えば位置検出器と、制御装置を用いることにより、両者を重ならせないようにすることができる。これにより、移動板３９、６１の移動停止時に、球排出穴から遊技球が排出されることがない。その結果、遊技球の排出を阻止するための、開閉板３４ａ，４２ａを設ける必要がなく、下球受皿の機構を簡易にすることができる。
【００３０】
つぎに、第５の実施形態について図面により説明する。本実施形態においては、球排出口を変動させる手段として、図１２に示すように、複数の羽根を有するプロペラ形状の回転羽根を用いたものである。下球受皿３３については、上記第３の実施形態に示したものと同様である。下球受皿３３の底面部３３ａ後方側に半円形の開口部４６を設けており、また底面部３３ａには、下球受皿３３の前面から後方に向けて水平に形成された隙間３３ｄが設けられており、隙間３３ｄ内には開口部４６を開閉する上記開閉部材４２と同様の開閉部材が横方向に移動可能なように設けられている。
【００３１】
隙間３３ｄの下方の開口部４６位置には、半円形の空間３３ｈが設けられ、空間３３ｈには４枚の羽根８１ａを有する回転羽根部材８１の半分が配設されている。回転羽根部材８１は、基盤３０ａ位置に回転軸８１ｂが取り付けられ、羽根８１ａの半分が後方に突出して設けられている。回転羽根部材８１は、図示しない伝達機構により電動モータに連結され、電動モータの駆動により回転するようになっている。
【００３２】
以上のように構成した第５の実施形態においては、図１３に示すように、開閉板４２ａが移動して開口部４６が開放されると、回転羽根部材８１が回転を開始し、羽根８１ａ間の隙間８１ｃも回転移動する。これに伴い、各羽根８１ａの隙間８１ｃから下球受皿３３に貯留された遊技球が、円形を描いて放出されることにより、球受け箱内の広い範囲に断続的に排出され、１箇所に積み上げられることがない。そのため、第４の実施形態においても、上記各実施形態に示した効果と同様の効果を得ることができる。
【００３３】
上記各実施形態及び変形例においては、回転板及び移動板の駆動を、開閉板の移動により開口部が開放されたことを開閉板検出スイッチにより検出し、検出結果に応じた制御装置の制御により開始させるようにし、駆動コストの低減を実現している。ただし、必要に応じて回転板及び移動板を常に駆動するようにすることもできる。これにより回転板等の駆動系の構成を簡易にすることができる。
【００３４】
また、上記各実施形態においては、駆動用の電動モータをそれぞれ単独で用いているが、これに代えて、遊技球発射装置の電動モータを兼用することもできる。これにより、電動モータの数を減らすことができ、球排出機構を安価にすることができる。
【図面の簡単な説明】
【００３５】
【図１】本発明の一実施形態を適用したパチンコ遊技機を概略的に示す正面図である。
【図２】第１の実施形態である下球受皿部分の開口部の閉鎖された状態を示す平面図及び正面図である。
【図３】同下球受皿部分の開口部の開放された状態を示す平面図及び正面図である。
【図４】同回転板を詳細に示す斜視図である。
【図５】第２の実施形態である下球受皿部分の開口部の閉鎖された状態を示す平面図及び正面図である。
【図６】同下球受皿部分の開口部の開放された状態を示す平面図及び正面図である。
【図７】同回転板を詳細に示す平面図である。
【図８】第３の実施形態である下球受皿部分の開口部の閉鎖された状態を示す平面図及び正面図である。
【図９】同下球受皿部分の開口部の開放された状態を示す平面図及び正面図である。
【図１０】第４の実施形態及び変形例１に係る下球受皿の球排出機構を説明する説明図である。
【図１１】変形例２及び変形例３の下球受皿の球排出機構を説明する説明図である。
【図１２】第５の実施形態である下球受皿部分の開口部の閉鎖された状態を示す平面図及び正面図である。
【図１３】同下球受皿部分の開口部の開放された状態を示す平面図及び正面図である。
【符号の説明】
【００３６】
１０…本体、２０…上皿基板、３０…下皿基板、３０ａ…基盤、３３…下球受皿、３３ａ…底面部、３３ｂ…囲い、３３ｃ…開口部、３３ｄ…隙間、３４…開閉部材、３４ａ…開閉板、３４ｂ…球抜きレバー、３４ｃ…コイルバネ、３５…開閉板検出スイッチ、３６…回転板、３６ａ…球排出穴、３６ｂ…歯、３６ｃ…球排出筒、３７…歯車、３８…電動モータ、３８ａ…歯車、３９…回転板、３９ａ，３９ｂ…球排出穴、４１…開口部、４２…開閉部材、４２ａ…開閉板、４２ｂ…球抜きレバー、４２ｃ…コイルバネ、４３…開閉板検出スイッチ、４５…開口部、４６…開口部、５１…移動板、５１ａ…球排出穴、５２…駆動板、５２ａ…突出部分、５２ｂ…長孔、５２ｃ…取付孔、５３…止め具、５４…電動モータ、５５…回転板、５５ａ…係合突起、６１…移動板、６１ａ，６１ｂ…球排出穴、６２…駆動片、６３…伝達片、６４…電動モータ、６５…回転板、６５ａ…係合突起、７１…小開口部、７２…小開口部、７３…小開口部、７４…小開口部、８１…回転羽根部材、８１ａ…羽根、８１ｂ…回転軸、８１ｃ…隙間。
【図１】
2006297150.tif 000003
【図２】
2006297150.tif 000004
【図３】
2006297150.tif 000005
【図４】
2006297150.tif 000006
【図５】
2006297150.tif 000007
【図６】
2006297150.tif 000008
【図７】
2006297150.tif 000009
【図８】
2006297150.tif 000010
【図９】
2006297150.tif 000011
【図１０】
2006297150.tif 000012
【図１１】
2006297150.tif 000013
【図１２】
2006297150.tif 000014
【図１３】
2006297150.tif 000015